(57)【要約】【課題】冷却効果が高く長時間継続して行うことが出来るリアプロジェクション用のテレビジョン受像機などに用いることが可能であるランプ光源装置を提供する。【解決手段】本発明によるランプ光源装置は、放電ランプと、この放電ランプの周囲を囲み、一定方向に光を反射する反射鏡と、該反射鏡で囲まれた空間を密閉空間とするとともに光放出開口を塞ぐように設けられた透明保護板と、この密閉空間内に光軸に対して直角に複数設けられた放熱フィンと、前記反射鏡と放熱フィンの外側を囲み、前記反射鏡の光軸に対して直角に導く導風板を設け、前記反射鏡の外側と導風版の間に冷却風を通し放電ランプから発せられた熱により熱せられた放熱フィンを冷却することを特徴とするので、冷却効果が高いのでプロジェクション動作を長時間継続して行うことが可能であり、リアプロジェクション用のテレビジョン受像機などに用いることが可能である。【選択図】図１
2005302682.tif 000002
【特許請求の範囲】
【請求項１】
放電ランプと、この放電ランプの周囲を囲み、一定方向に可視光を反射するコールドミラーからなる反射鏡と、この反射鏡の外側に設けられた赤外線吸収皮膜と、この赤外線吸収皮膜の外側に設けらた金属ケース体と、前記反射鏡で囲まれた空間を密閉空間とするように光放出開口を塞ぐように設け、前期可視光のみを透過する透明な保護板とを有することを特徴とするランプ光源装置。
【請求項２】
前記反射鏡と前記赤外線吸収皮膜との間に透明皮膜が設けられていることを特徴とする請求項１記載のランプ光源装置。
【請求項３】
前記金属ケース体はアルミニウムからなり、前記赤外線吸収皮膜は、この金属ケースにメッキによって形成されたアルマイト皮膜であることを特徴とする請求項１記載のランプ光源装置。
【請求項４】
前記光放出口の保護板の開口を６０度以下としたことを特長とする請求項１記載のランプ光源装置。
【発明の詳細な説明】
【技術分野】
【０００１】本発明は、ランプ光源装置、特にフロント型プロジェクタ、あるいはリアー型プロジェクタに用いるランプ光源装置に関する技術である。
【背景技術】
【０００２】通常、前記ランプ光源装置はハロゲン、あるいは高圧水銀灯などからの材料を高圧にて内封されているために、ランプ光源装置が破損した場合、その破片がガラス材からなる反射鏡を直撃し、この反射鏡に強い衝撃が加わり、反射鏡が破損し飛散する場合がある。
この問題を解決するためには、反射鏡の母材として、衝撃に対して高強度な結晶化ガラスを用いることが考えられるが、このような高強度な結晶化ガラスは高価でありコスト増を招く。
また、反射鏡のガラスの肉厚を厚く構成することも考えられるが、高厚膜の反射鏡を成型するには長時間を要し、やはりコスト増となる。
更に、熱に対する歪に弱く、割れやすくなってしまう。【０００３】特に、リア型プロジェクタ装置では、本装置をテレビジョン受像機として用いることが多く、通常のフロント型プロジェクタに比べ使用している時間が長く、放電ランプの放熱の問題や放電ランプの破壊／破損に対する更なる対策が望まれている。【０００４】
【特許文献１】特開２００２−３１３１１９
【特許文献２】特開２００２−３５２６１２
【発明の開示】
【発明が解決しようとする課題】
【０００５】前記の特許文献１，２双方ともに放電ランプの外周側壁のリフレクタに高熱伝導物質を混入した耐熱性有機材料により成形してある放熱フィンを配置することが示されている。
しかしながら、この特許文献に示されたリフレクタは、耐熱性ガラス材を用い特殊な有機材料を用いるものであって、放電ランプの破損に伴うリフレクタの破壊の問題は依然として残る。
本発明では、放電ランプが破損しても外部に飛散しない安全なランプ光源装置を提供するものである。
【課題を解決するための手段】
【０００６】上記課題を解決するため、本発明は、請求項１に記載するように、放電ランプと、この放電ランプを囲み、一定方向に可視光を反射するコールドミラーからなる反射鏡と、この反射鏡の外側に設けられた赤外線吸収皮膜と、この赤外線吸収皮膜の外側に設けらた金属ケース体と、前記反射鏡で囲まれた空間を密閉空間とするように光放出開口を塞ぐように設け、前期可視光のみを透過する透明な保護板とを有することを特徴とする。
【発明の効果】
【０００７】本発明によれば、放電ランプを金属性のケース内に密閉構造とすることとなり、放電ランプが破壊しても、その破片が外部に飛散することが無くなると共に、赤外線吸収皮膜を設けることで放熱の問題も解決される。
特に、金属ケースに直接赤外線吸収皮膜を形成するため、この赤外線吸収皮膜で吸収した熱を効率よく放電ランプの外に放出し、放電ランプを効率的に冷却することが可能となる。
【発明を実施するための最良の形態】
【０００８】以下、本発明を実施するための最良の形態について、プロジェクタ装置のランプ光源装置を例にして図面を参照して詳細に説明する。
【実施例】
【０００９】以下、図に沿って本発明の実施例を説明する。図１は本発明の実施例を示すランプ光源装置の横断面図であり、ランプ光源装置の各構成要素の位置関係を示している。
図２は、図１の正面図であり、図１のＡ−Ａ’の横断面、及びランプ光源装置の冷却方法が示されている。
これらの図において、２は放電ランプ、３はケース、４は赤外線を吸収するための皮膜、５は透明皮膜、６はリフレクタ（コールドミラーともいう）、７は透明保護材、８は放電ランプの電極、９は冷却ファン、１０は導風板である。【００１０】放電ランプ２はプロジェクタに多用されているランプ光源装置であって、普通メタルハライドあるいは高圧水銀などの化合物がランプの発光する部分のガラス管内に封入され、電気放電により光を放出するランプである。放電ランプ２によって発光された光は、（コールドミラー型の）リフレクタ６にて主として可視光線のみが集光反射され、透明保護材７を通過して、光学部材（図示せず）で調光された後、ライトバルブ（図示せず）に送られる。【００１１】一方、放電ランプで発光された光のうち、リフレクタ６で反射されない赤外線と僅かの可視光線は、リフレクタ６の透明皮膜５を介して赤外線吸収皮膜４に吸収される。前記赤外線等で過熱された赤外線吸収皮膜４はそれ自身の外側に密着している金属のケース３に熱伝導する。
ケース３は放電ランプから発せられた光のうち、リフレクタで反射されず、かつ前記赤外線吸収皮膜４で吸収した熱を吸収／放出するための放熱材としての機能をも兼ねている。【００１２】リフレクタ６は放電ランプ２から発光された光線を集光して可視光のみを反射し２次光源を作る集光ミラーとしての反射鏡であり、透明皮膜５は赤外線吸収皮膜４上に形成されるガラス層であり、赤外線吸収膜４の表面をなめらかにする効果を有し、この透明皮膜５の表面にはリフレクタ６を構成する金属材が蒸着にて形成される。
このリフレクタ６は、例えば、酸化チタン層とフッ化マグネシウム層を交互に多層膜蒸着して形成される。
尚、本発明は前記部材の材質には限定されず他の部材を用いてもよい。
４は放電ランプから発せられた光線のうち可視光以外の主として熱線を含む赤外線を吸収する黒色の赤外線吸収皮膜である。
また、８は放電ランプへ供給する電流が流れる電極の一方である。
さらに、９は冷却ファン、１０は導風板であり、該冷却ファン９と導風板１０により、ランプからの放出熱で熱せられたケース３の熱を外部に放出させるための放熱装置でもある。【００１３】リフレクタ６と同一の形状であるケース３によって、放電ランプ２の周囲は密閉空間となり、放電ランプ２が何かの理由で破損した場合であっても、そのガラス破片等が外部に飛散することが防止される。【００１４】赤外線吸収皮膜４はリフレクタ６の外側の透明皮膜５が吸収した赤外線をさらにその外側のケース３に熱として伝達するための皮膜である。
前記ケース３はアルミニウムからなり、赤外線吸収皮膜４は、この金属ケース３にメッキによって形成されたアルマイト皮膜である。【００１５】内部の放電ランプ２で発光された光は、光源として使用される以外は熱として発熱される。この熱せられた発光ケース３は外部の冷却ファン９と導風板１０とにより効率よく冷却され、ランプ光源装置１の外部に放出される。【００１７】透明保護板７はランプ光源装置から発せられた可視光線を透過するが、何らかの原因で放電ランプが破壊したときに、破壊した放電ランプ２、および／またはリフレクタ６のガラス片等がランプ光源装置１の外に飛散することを防止する保護板である。
尚、リフレクタ６の湾曲（曲率）の出射光の有効角度が約６０度以下が最も有効範囲となる。
【産業上の利用可能性】
【００１９】本発明によるランプ光源装置は、放電ランプからの発熱を効率的に放出でき、冷却効果が高く、かつランプが破損しても、金属ケースによって、その破片の飛散が確実に防止できるため、このランプ光源装置を使用したプロジェクタを長時間継続して使用することが可能であり、よってリアプロジェクション用のテレビジョン受像機などに用いることが可能である。
【図面の簡単な説明】
【００２０】
【図１】本発明の実施例の形態に係る主要な構成を示す側断面図である。
【図２】本発明の実施例の形態に係る正面図に、冷却ファン９、導風板１０を併せ記載した正面図である。
【図３】第２の実施例を示す横断面図である。
【符号の説明】
【００２１】１：ランプ光源装置
２：放電ランプ
３：ケース
４：赤外線吸収皮膜
５：透明皮膜
６：リフレクタ
７：透明保護材
８：電極
９：冷却ファン
１０：導風板
【図１】
2005302682.tif 000003
【図２】
2005302682.tif 000004
【図３】
2005302682.tif 000005